(57)【要約】      （修正有）【課題】高所送水型ＦＲＰ製ろ過装置から高架水槽に向けて送水する２本の連通パイプの設置箇所を変更して設けることにより、ろ過装置全体を強化し亀裂防止の効果をさらに高める亀裂防止構造を提供する。【解決手段】原水をろ過する、ろ過室１の上部に、ろ過水貯水室２を設け、下部にろ過処理水室３を設け、これら三層の室を一体に積層したタワー型のＦＲＰ製ろ過装置本体と、前記ろ過水貯水室が満水状態となった際、移送し貯水する大型の高架水槽Ａからなる高所送水型ＦＲＰ製ろ過装置Ｘにおいて、処理貯水槽内の処理水を、ろ過水貯水室から高架水槽に送る処理貯水槽連通パイプ４の一端部を、ろ過水貯水室の側壁上端部付近に設け、同じく、ろ過処理水室内の処理水を前記高架水槽に送るろ過処理水室連通パイプ５を、ろ過処理水室からろ過室を通過し、さらにろ過水貯水室の天蓋Ｘａから高架水槽に向けて設け、且つろ過処理水室とろ過水貯水室との間に、複数本のパイプ６を設けた。【選択図】図１
0003187530.tif 000002
【実用新案登録請求の範囲】
【請求項１】
原水をろ過する，ろ過室（１）の上部には、ろ過水貯水室（２）を設け、下部にはろ過処理水室（３）を設け、これら三層の室を一体に積層したタワー型のＦＲＰ製ろ過装置（Ｘ）本体と、前記ろ過水貯水室（２）が満水状態となった際に、移送して貯水する大型の高架水槽（Ａ）から構成される高所送水型ＦＲＰ製ろ過装置（Ｘ）において、処理貯水槽（２）内の処理水を、ろ過水貯水室（２）から高架水槽（Ａ）に送る処理貯水槽連通パイプ（４）の一端部を、ろ過水貯水室（２）の外壁面上端部付近に設け、同じく、ろ過処理水室（３）内の処理水を前記高架水槽（Ａ）に送るろ過処理水室連通パイプ（５）を、ろ過処理水室（３）からろ過室（１）を通過し、さらに、ろ過水貯水室（２）の天蓋（Ｘａ）から高架水槽（Ａ）に向けて設け、且つ、ろ過処理水室（３）とろ過水貯水室（２）との間に、複数本のパイプ（６）を設けたことを特徴とする高所送水型ＦＲＰ製ろ過装置における亀裂防止構造。
【考案の詳細な説明】
【技術分野】
【０００１】
この考案は、高所送水型ＦＲＰ製濾過装置における亀裂防止構造に関するものであり、特に、ろ過装置の亀裂防止に対する全体圧に対処できる構造である。
【背景技術】
【０００２】
従来、海水等の水をろ過する濾過装置は、堅牢性、耐食性からＦＲＰ（fibrous glass reinfoeced plastic）製が存在している。
【０００３】
しかし、このＦＲＰ製ろ過装置においても、ろ過装置本体に連通する取水管よりエアーが混じった海水が入ると、取水ポンプのポンプ圧により、ろ過装置本体内にエアーが圧縮され、ＦＲＰの接着部及び点検時等に本体内に出入りするマンホールの取付け部の強度の弱い箇所に亀裂を生ずるという欠点があった。
【０００４】
さらに、ろ過装置の点検時、ろ過室の海水を１００％排水して、ろ過室にエアーが充満している状態で取水ポンプが稼働したときに、ろ過室のエアーが圧縮し、エアー圧力でろ過室内部のＦＲＰの接着面の亀裂原因となるものであった。
【０００５】
さらに接点付き圧力計（図示せず）を用いて指定圧力で逆洗する構造であるが、圧力計（機械的、電気的）の故障時、ろ過室の内部圧力が感知ができず、ろ過室内の内圧が上昇し、ＦＲＰの亀裂原因となるという欠点があった。
【０００６】
しかし、この亀裂による補修作業は、煩雑であり、その都度、ろ過稼働を停止して行なう必要があり、極めて問題がある。
【０００７】
さらに、通常ろ過室は、鉄・ステンレス製のろ過室を制作し、耐圧強度を保つよう安全性に配慮されているが、これらの素材とＦＲＰとは伸縮状態が異なるため、接着部に亀裂が生じ、この場合、ろ過室内での修理は不可能である。
【０００８】
このため、ろ過室は全てをＦＲＰ製で制作する必要があり、その場合、０．２ｋｇ／ｃｍ2 （２０ｍＨ）以上の場合、ろ過室亀裂の恐れがある。
【０００９】
そのため、本願出願人は、高所送水用ＦＲＰ製ろ過装置における亀裂防止装置を考案し、登録されている。例えば、特許文献１のように。
【先行技術文献】
【特許文献】
【００１０】
【特許文献１】登録第３１８３８２４号実用新案公報
【考案の概要】
【考案が解決しようとする課題】
【００１１】
そこで、この考案は、さらに、高所送水型ＦＲＰ製ろ過装置（高所送水用タワー状積層型のＦＲＰ製ろ過装置）において、該ろ過装置から高架水槽に向けて送水する２本の連通パイプの設置箇所を変更して設けることにより、ろ過装置全体を強化できることにより亀裂防止の効果をこらに高める高所送水型ＦＲＰ製ろ過装置における亀裂防止構造を提供・開発するものである。
【課題を解決するための手段】
【００１２】
上記の課題を解決するため、従来のタワー状積層型のＦＲＰ製ろ過装置とろ過水貯水室が満水状態となった際に、処理水を連通パイプにて大型の高架水槽に移送するＦＲＰ製ろ過装置からなり、高所送水型ＦＲＰ製ろ過装置のパイプ取付部を、強度の強い箇所に取り付けることにより亀裂を防止できるよう構成する高所送水型ＦＲＰ製ろ過装置における亀裂防止構造である。
【考案の効果】
【００１３】
この考案によると、処理水を貯水しているろ過水貯水室（２）から高架水槽（Ａ）に移送するろ過水貯水槽連通パイプ（４）の一端部を、ＦＲＰ製ろ過装置（２）の側壁上端部付近に取り付けることにより、該取付部は、ＦＲＰ製ろ過装置（Ｘ）の側壁面で天蓋（６）部も位置する箇所に設けることにより、側壁面が亀裂に対して防止できるという効果を奏する。
【００１４】
さらに、ろ過水貯水槽連通パイプ（４）を、ろ過水貯水槽（２）の上端部付近に設けたことにより、該ろ過水貯水槽（２）に貯水されるろ過水を、直ちに高架水槽（Ａ）へ移送できるため、ろ過水貯水槽（２）に貯水されるろ過水が満杯となることなく亀裂防止に効果を有するものである。
【００１５】
また、ろ過処理水室連通パイプ（５）は、ろ過室（１）内部を通過し、さらにろ過水貯水槽（２）を通過して、ＦＲＰ製ろ過装置（Ｘ）の天蓋（Ｘａ）に取付け、高架水槽（Ａ）へ移送するため、ＦＲＰ製ろ過装置（Ｘ）の側壁面には取付しないため、アーチ状の積層ろ過装置全体の亀裂防止が図れ、極めて有益なる効果を奏するものである。
【００１６】
また、ろ過処理水室（３）と、ろ過貯水槽（２）の間には、複数のパイプ（６）を設け、ＦＲＰ製ろ過装置（Ｘ）の外壁面に穴を形成してパイプを通すことなく、外壁面の内部で連通して設けており、外壁面には取付けをしないため、ＦＲＰ製ろ過装置（Ｘ）の亀裂を防止できる効果を有する。
【図面の簡単な説明】
【００１７】
【図１】この考案の一実施例を示す一部欠截正面図である。
【図２】この考案の一実施例を示す一部欠截平面図である。
【考案を実施するための形態】
【００１８】
以下、この考案について詳細に説明する。尚、この考案においては、以下の記述に限定されるものではなく、この考案の要旨を逸脱しない範囲においては適宜変更可能である。
【実施例】
【００１９】
次に、この考案の一実施例を図面に従って説明すると、原水をろ過する，ろ過室（１）の上部には、ろ過水貯水室（２）を設け、下部にはろ過処理水室（３）を設け、これら三層の室を一体に積層したタワー型のＦＲＰ製ろ過装置（Ｘ）本体と、前記ろ過水貯水室（２）が満水状態となった際に、移送して貯水する大型の高架水槽（Ａ）から構成される高所送水型ＦＲＰ製ろ過装置（Ｘ）において、処理貯水槽（２）内の処理水を、ろ過水貯水室（２）から高架水槽（Ａ）に送る処理貯水槽連通パイプ（４）の一端部を、ろ過水貯水室（２）の外壁面上端部付近に設け、同じく、ろ過処理水室（３）内の処理水を前記高架水槽（Ａ）に送るろ過処理水室連通パイプ（５）を、ろ過処理水室（３）からろ過室（１）を通過し、さらに、ろ過水貯水室（２）の天蓋（Ｘａ）から高架水槽（Ａ）に向けて設け、且つ、ろ過処理水室（３）とろ過水貯水室（２）との間に、複数本のパイプ（６）を設けたことを特徴とする高所送水型ＦＲＰ製ろ過装置における亀裂防止構造から構成される。
【００２０】
さらに、この考案に係る高所送水型ＦＲＰ製ろ過装置における亀裂防止構造の個々の構造を詳述すると、濾過室（１）、ろ過水貯水室（２）、そしてろ過処理水室（３）には、それぞれ１または複数箇所に１または複数のマンホール（Ｙ）を設け、工事・点検の際、それぞれ内部への出入りできるよう構成されている。
【００２１】
また、ろ過室（１）には外部より海水等の被ろ過水を流入する取水管（１ａ）を設け、該管には取水用電動弁（７ａ）を設けると共に、毎時、４０〜６０トンの能力を有する取水ポンプ（図示せず）を設けており、該ポンプにはインバーター（図示せず）機能を設け、濾過室の内部圧力を下げるよう構成されている。
【００２２】
さらに、ＦＲＰ製ろ過装置（Ｘ）のろ過室（１）には、逆洗の際、排水する排水管（７）を設け、排水溝へ排水する。該管にも逆洗用電動弁（７ｂ）を設けている。
【００２３】
また、ろ過室（１）の底面には、ストレーナ（８）とろ過材層（９）を形成している。  
【００２４】
ろ過水貯水室（２）には、貯水槽満水検知器（Ｚ）は、満杯を検知する高水位、減水を検知する低水位それぞれＨＥＬセンサーをいう。
【００２５】
また、ろ過処理水室（３）と、ろ過貯水槽（２）の間には、複数のパイプ（６）を設け、ＦＲＰ製ろ過装置（Ｘ）の外壁面に穴を形成してパイプを通すことなく、外壁面の内部で連通して設けており、原水をろ過室（１）でろ過し、ろ過処理水室（３）内の処理された水を、そのままろ過貯水槽（２）に移送できるため、ＦＲＰ製ろ過装置（Ｘ）の外壁面の亀裂防止効果に貢献している。
【産業上の利用可能性】
【００２６】
この考案によると、高所送水用ＦＲＰ製濾過装置における亀裂防止装置の技術を確立し、実施・販売することにより産業上の利用可能性がある。
【符号の説明】
【００２７】
１  ろ過室
２  ろ過水貯水室
３  ろ過処理水室
４  処理貯水槽連通パイプ
５  ろ過処理水室連通パイプ
６  パイプ
７  排水管
７ａ  取水用電動弁
７ｂ  逆洗用電動弁
８  ストレーナ
９  ろ過材層
Ｘ  高所送水型ＦＲＰ製ろ過装置
Ｘａ  天蓋
Ｙ  マンホール
Ｚ  貯水槽満水検知器
【図１】
0003187530.tif 000003
【図２】
0003187530.tif 000004
【手続補正書】
【提出日】平成25年8月22日(2013.8.22)
【手続補正１】
【補正対象書類名】実用新案登録請求の範囲
【補正対象項目名】全文
【補正方法】変更
【補正の内容】
【実用新案登録請求の範囲】
【請求項１】
原水をろ過する，ろ過室（１）の上部には、ろ過水貯水室（２）を設け、下部にはろ過処理水室（３）を設け、これら三層の室を一体に積層したタワー型のＦＲＰ製ろ過装置（Ｘ）本体と、前記ろ過水貯水室（２）が満水状態となった際に、移送して貯水する大型の高架水槽（Ａ）から構成される高所送水型ＦＲＰ製ろ過装置（Ｘ）において、ろ過処理水室（３）内の処理水を、ろ過水貯水室（２）から高架水槽（Ａ）に送る処理貯水槽連通パイプ（４）の一端部を、ろ過水貯水室（２）の外壁面上端部付近に設け、同じく、ろ過処理水室（３）内の処理水を前記高架水槽（Ａ）に送るろ過処理水室連通パイプ（５）を、ろ過処理水室（３）からろ過室（１）を通過し、さらに、ろ過水貯水室（２）の天蓋（Ｘａ）から高架水槽（Ａ）に向けて設け、且つ、ろ過処理水室（３）とろ過水貯水室（２）との間に、複数本のパイプ（６）を設けたことを特徴とする高所送水型ＦＲＰ製ろ過装置における亀裂防止構造。
【手続補正２】
【補正対象書類名】明細書
【補正対象項目名】全文
【補正方法】変更
【補正の内容】
【考案の詳細な説明】
【技術分野】
【０００１】
この考案は、高所送水型ＦＲＰ製濾過装置における亀裂防止構造に関するものであり、特に、ろ過装置の亀裂防止に対する全体圧に対処できる構造である。
【背景技術】
【０００２】
従来、海水等の水をろ過する濾過装置は、堅牢性、耐食性からＦＲＰ（fibrous glass reinfoeced plastic）製が存在している。
【０００３】
しかし、このＦＲＰ製ろ過装置においても、ろ過装置本体に連通する取水管よりエアーが混じった海水が入ると、取水ポンプのポンプ圧により、ろ過装置本体内にエアーが圧縮され、ＦＲＰの接着部及び点検時等に本体内に出入りするマンホールの取付け部の強度の弱い箇所に亀裂を生ずるという欠点があった。
【０００４】
さらに、ろ過装置の点検時、ろ過室の海水を１００％排水して、ろ過室にエアーが充満している状態で取水ポンプが稼働したときに、ろ過室のエアーが圧縮し、エアー圧力でろ過室内部のＦＲＰの接着面の亀裂原因となるものであった。
【０００５】
さらに接点付き圧力計（図示せず）を用いて指定圧力で逆洗する構造であるが、圧力計（機械的、電気的）の故障時、ろ過室の内部圧力が感知ができず、ろ過室内の内圧が上昇し、ＦＲＰの亀裂原因となるという欠点があった。
【０００６】
しかし、この亀裂による補修作業は、煩雑であり、その都度、ろ過稼働を停止して行なう必要があり、極めて問題がある。
【０００７】
さらに、通常ろ過室は、鉄・ステンレス製のろ過室を制作し、耐圧強度を保つよう安全性に配慮されているが、これらの素材とＦＲＰとは伸縮状態が異なるため、接着部に亀裂が生じ、この場合、ろ過室内での修理は不可能である。
【０００８】
このため、ろ過室は全てをＦＲＰ製で制作する必要があり、その場合、０．２ｋｇ／ｃｍ2 （２０ｍＨ）以上の場合、ろ過室亀裂の恐れがある。
【０００９】
そのため、本願出願人は、高所送水用ＦＲＰ製ろ過装置における亀裂防止装置を考案し、登録されている。例えば、特許文献１のように。
【先行技術文献】
【特許文献】
【００１０】
【特許文献１】登録第３１８３８２４号実用新案公報
【考案の概要】
【考案が解決しようとする課題】
【００１１】
そこで、この考案は、さらに、高所送水型ＦＲＰ製ろ過装置（高所送水用タワー状積層型のＦＲＰ製ろ過装置）において、該ろ過装置から高架水槽に向けて送水する２本の連通パイプの設置箇所を変更して設けることにより、ろ過装置全体を強化できることにより亀裂防止の効果をこらに高める高所送水型ＦＲＰ製ろ過装置における亀裂防止構造を提供・開発するものである。
【課題を解決するための手段】
【００１２】
上記の課題を解決するため、従来のタワー状積層型のＦＲＰ製ろ過装置とろ過水貯水室が満水状態となった際に、処理水を連通パイプにて大型の高架水槽に移送するＦＲＰ製ろ過装置からなり、高所送水型ＦＲＰ製ろ過装置のパイプ取付部を、強度の強い箇所に取り付けることにより亀裂を防止できるよう構成する高所送水型ＦＲＰ製ろ過装置における亀裂防止構造である。
【考案の効果】
【００１３】
この考案によると、処理水を貯水しているろ過水貯水室（２）から高架水槽（Ａ）に移送するろ過水貯水槽連通パイプ（４）の一端部を、ＦＲＰ製ろ過装置（Ｘ）の側壁上端部付近に取り付けることにより、該取付部は、ＦＲＰ製ろ過装置（Ｘ）の側壁面で天蓋（６）部も位置する箇所に設けることにより、側壁面が亀裂に対して防止できるという効果を奏する。
【００１４】
さらに、ろ過水貯水槽連通パイプ（４）を、ろ過水貯水室（２）の上端部付近に設けたことにより、該ろ過水貯水室（２）に貯水されるろ過水を、直ちに高架水槽（Ａ）へ移送できるため、ろ過水貯水室（２）に貯水されるろ過水が満杯となることなく亀裂防止に効果を有するものである。
【００１５】
また、ろ過処理水室連通パイプ（５）は、ろ過室（１）内部を通過し、さらにろ過水貯水室（２）を通過して、ＦＲＰ製ろ過装置（Ｘ）の天蓋（Ｘａ）に取付け、高架水槽（Ａ）へ移送するため、ＦＲＰ製ろ過装置（Ｘ）の側壁面には取付しないため、アーチ状の積層ろ過装置全体の亀裂防止が図れ、極めて有益なる効果を奏するものである。
【００１６】
また、ろ過処理水室（３）と、ろ過貯水室（２）の間には、複数のパイプ（６）を設け、ＦＲＰ製ろ過装置（Ｘ）の外壁面に穴を形成してパイプを通すことなく、外壁面の内部で連通して設けており、外壁面には取付けをしないため、ＦＲＰ製ろ過装置（Ｘ）の亀裂を防止できる効果を有する。
【図面の簡単な説明】
【００１７】
【図１】この考案の一実施例を示す一部欠截正面図である。
【図２】この考案の一実施例を示す一部欠截平面図である。
【考案を実施するための形態】
【００１８】
以下、この考案について詳細に説明する。尚、この考案においては、以下の記述に限定されるものではなく、この考案の要旨を逸脱しない範囲においては適宜変更可能である。
【実施例】
【００１９】
次に、この考案の一実施例を図面に従って説明すると、原水をろ過する，ろ過室（１）の上部には、ろ過水貯水室（２）を設け、下部にはろ過処理水室（３）を設け、これら三層の室を一体に積層したタワー型のＦＲＰ製ろ過装置（Ｘ）本体と、前記ろ過水貯水室（２）が満水状態となった際に、移送して貯水する大型の高架水槽（Ａ）から構成される高所送水型ＦＲＰ製ろ過装置（Ｘ）において、ろ過貯水室（２）内の処理水を、ろ過水貯水室（２）から高架水槽（Ａ）に送る処理貯水槽連通パイプ（４）の一端部を、ろ過水貯水室（２）の外壁面上端部付近に設け、同じく、ろ過処理水室（３）内の処理水を前記高架水槽（Ａ）に送るろ過処理水室連通パイプ（５）を、ろ過処理水室（３）からろ過室（１）を通過し、さらに、ろ過水貯水室（２）の天蓋（Ｘａ）から高架水槽（Ａ）に向けて設け、且つ、ろ過処理水室（３）とろ過水貯水室（２）との間に、複数本のパイプ（６）を設けたことを特徴とする高所送水型ＦＲＰ製ろ過装置における亀裂防止構造から構成される。
【００２０】
さらに、この考案に係る高所送水型ＦＲＰ製ろ過装置における亀裂防止構造の個々の構造を詳述すると、濾過室（１）、ろ過水貯水室（２）、そしてろ過処理水室（３）には、それぞれ１または複数箇所に１または複数のマンホール（Ｙ）を設け、工事・点検の際、それぞれ内部への出入りできるよう構成されている。
【００２１】
また、ろ過室（１）には外部より海水等の被ろ過水を流入する取水管（１ａ）を設け、該管には取水用電動弁（７ａ）を設けると共に、毎時、４０〜６０トンの能力を有する取水ポンプ（図示せず）を設けており、該ポンプにはインバーター（図示せず）機能を設け、濾過室の内部圧力を下げるよう構成されている。
【００２２】
さらに、ＦＲＰ製ろ過装置（Ｘ）のろ過室（１）には、逆洗の際、排水する排水管（７）を設け、排水溝へ排水する。該管にも逆洗用電動弁（７ｂ）を設けている。
【００２３】
また、ろ過室（１）の底面には、ストレーナ（８）とろ過材層（９）を形成している。  
【００２４】
ろ過水貯水室（２）には、貯水槽満水検知器（Ｚ）は、満杯を検知する高水位、減水を検知する低水位それぞれＨＥＬセンサーをいう。
【００２５】
また、ろ過処理水室（３）と、ろ過貯水室（２）の間には、複数のパイプ（６）を設け、ＦＲＰ製ろ過装置（Ｘ）の外壁面に穴を形成してパイプを通すことなく、外壁面の内部で連通して設けており、原水をろ過室（１）でろ過し、ろ過処理水室（３）内の処理された水を、そのままろ過貯水室（２）に移送できるため、ＦＲＰ製ろ過装置（Ｘ）の外壁面の亀裂防止効果に貢献している。
【産業上の利用可能性】
【００２６】
この考案によると、高所送水用ＦＲＰ製濾過装置における亀裂防止装置の技術を確立し、実施・販売することにより産業上の利用可能性がある。
【符号の説明】
【００２７】
１  ろ過室
２  ろ過水貯水室
３  ろ過処理水室
４  処理貯水槽連通パイプ
５  ろ過処理水室連通パイプ
６  パイプ
７  排水管
７ａ  取水用電動弁
７ｂ  逆洗用電動弁
８  ストレーナ
９  ろ過材層
Ｘ  高所送水型ＦＲＰ製ろ過装置
Ｘａ  天蓋
Ｙ  マンホール
Ｚ  貯水槽満水検知器                                              
【手続補正書】
【提出日】平成25年9月30日(2013.9.30)
【手続補正１】
【補正対象書類名】実用新案登録請求の範囲
【補正対象項目名】全文
【補正方法】変更
【補正の内容】
【実用新案登録請求の範囲】
【請求項１】
原水をろ過する，ろ過室（１）の上部には、ろ過水貯水室（２）を設け、下部にはろ過処理水室（３）を設け、これら三層の室を一体に積層したタワー型のＦＲＰ製ろ過装置（Ｘ）本体と、前記ろ過水貯水室（２）が満水状態となった際に、移送して貯水する大型の高架水槽（Ａ）から構成される高所送水型ＦＲＰ製ろ過装置（Ｘ）において、ろ過水貯水室（２）内の処理水を、該ろ過水貯水室（２）から高架水槽（Ａ）に送る処理貯水槽連通パイプ（４）の一端部を、ろ過水貯水室（２）の外壁面上端部付近に設け、同じく、ろ過処理水室（３）内の処理水を前記高架水槽（Ａ）に送るろ過処理水室連通パイプ（５）を、ろ過処理水室（３）からろ過室（１）を通過し、さらに、ろ過水貯水室（２）の天蓋（Ｘａ）から高架水槽（Ａ）に向けて設け、且つ、ろ過処理水室（３）とろ過水貯水室（２）との間に、複数本のパイプ（６）を設けたことを特徴とする高所送水型ＦＲＰ製ろ過装置における亀裂防止構造。